(57)【要約】【課題】識別情報が付けられている物の位置を管理することを目的とする。【解決手段】位置情報管理プログラムは、第１情報処理端末が取得した、管理対象物の識別情報と、第１情報処理端末の位置を示す位置情報とを第１情報処理端末から受信し、識別情報と位置情報とを関連付けて記憶部に記憶する処理をコンピュータに実行させる。【選択図】図１７
2020009223.tif 000002
【特許請求の範囲】
【請求項１】
第１情報処理端末が取得した、管理対象物の識別情報と、前記第１情報処理端末の位置を示す位置情報とを前記第１情報処理端末から受信し、
前記識別情報と前記位置情報とを関連付けて記憶部に記憶する
処理をコンピュータに実行させるための位置情報管理プログラム。
【請求項２】
前記識別情報と前記識別情報に対応する仕様情報とを関連付けて記憶部に記憶し、
前記位置情報とともに取得した識別情報が、前記記憶部において前記仕様情報と関連付けられている前記識別情報と同一である場合、前記位置情報と前記仕様情報とを関連付けて記憶する
処理を前記コンピュータに実行させることを特徴とする請求項１記載の位置情報管理プログラム。
【請求項３】
第２情報処理端末から検索条件を受信し、前記検索条件を満たす仕様情報が前記記憶部に存在する場合、前記仕様情報に関連付けられた位置情報を抽出し、前記第２情報処理端末に送信する
処理を前記コンピュータに実行させることを特徴とする請求項２記載の位置情報管理プログラム。
【請求項４】
前記仕様情報に関連付けられた位置情報を前記第２情報処理端末に送信した場合、前記位置情報の送信元である前記第１情報処理端末に、前記位置情報が利用されたことを通知する
処理を前記コンピュータに実行させることを特徴とする請求項３記載の位置情報管理プログラム。
【請求項５】
前記仕様情報に関連付けられた位置情報を前記第２情報処理端末に送信した場合、前記仕様情報の提供者が使用する情報処理端末に前記仕様情報が利用されたことを通知する
処理を前記コンピュータに実行させることを特徴とする請求項３または４に記載の位置情報管理プログラム。
【請求項６】
前記位置情報と前記仕様情報とを関連付けて記憶した場合、前記仕様情報の提供者が使用する情報処理端末に、前記位置情報が登録されたことを通知する
処理を前記コンピュータに実行させることを特徴とする請求項２乃至５のうちのいずれか１項に記載の位置情報管理プログラム。
【請求項７】
コンピュータが、
第１情報処理端末が取得した、管理対象物の識別情報と、前記第１情報処理端末の位置を示す位置情報とを前記第１情報処理端末から受信し、
前記識別情報と前記位置情報とを関連付けて記憶部に記憶する
処理を実行することを特徴とする位置情報管理方法。
【請求項８】
第１情報処理端末と、前記第１情報処理端末と通信可能な位置情報管理装置とを備え、
前記位置情報管理装置は、
第１情報処理端末が取得した、管理対象物の識別情報と、前記第１情報処理端末の位置を示す位置情報とを前記第１情報処理端末から受信する通信部と、
前記識別情報と前記位置情報とを関連付けて記憶部に記憶する管理部と
を含むことを特徴とする位置情報管理システム。
【発明の詳細な説明】
【技術分野】
【０００１】
本発明は、位置情報管理プログラム、位置情報管理方法、および位置情報管理システムに関する。
【背景技術】
【０００２】
災害発生時等に、行政や自治体が避難所に仮設トイレを手配する。手配担当者は、現在設置されているトイレの位置や数量を考慮してトイレを設置することが考えられる。そして、利用者は、自分が存在する位置から近いトイレを探して利用することが考えられる。
【０００３】
関連する技術として、検索対象となる所定の情報群から施設等のサービス情報を検索する情報検索装置が提案されている（例えば、特許文献１を参照）。
【０００４】
また、関連する技術として、地図データ、経路情報、及び、複数の全天球画像を含むコンテンツを提供するサービスシステムが提案されている（例えば、特許文献２を参照）。
【０００５】
また、関連する技術として、情報流通サイト上で入手可能な元情報に、空間上の特定の地点又は区域を関連付けて、地理空間情報を生成する地理空間情報生成装置が提案されている（例えば、特許文献３を参照）。
【先行技術文献】
【特許文献】
【０００６】
【特許文献１】特開２０１４−１１５８８１号公報
【特許文献２】特開２０１６−１１０６３９号公報
【特許文献３】国際公開第２０１６／０５１８１０号
【発明の概要】
【発明が解決しようとする課題】
【０００７】
しかし、仮設トイレのように移動可能な物は、最初に設置した位置から移動している可能性がある。よって、手配担当者が既に設置されている仮設トイレの場所、数量を把握していない場合、適切な位置に新たな仮設トイレを設置することは困難である。また、利用者は、自分に近い位置に存在する仮設トイレを見つけることが困難である。
【０００８】
１つの側面として、本発明は、識別情報が付けられている物の位置を管理することを目的とする。
【課題を解決するための手段】
【０００９】
１つの態様では、位置情報管理プログラムは、第１情報処理端末が取得した、管理対象物の識別情報と、前記第１情報処理端末の位置を示す位置情報とを第１情報処理端末から受信し、前記識別情報と前記位置情報とを関連付けて記憶部に記憶する処理をコンピュータに実行させる。
【発明の効果】
【００１０】
１つの側面によれば、識別情報が付けられている物の位置を管理することができる。
【図面の簡単な説明】
【００１１】
【図１】実施形態の位置情報管理システムの全体構成の一例を示す。
【図２】位置情報管理装置の一例を示す図である。
【図３】物に関するデータ構造の一例を示す図である。
【図４】位置に関するデータ構造の一例を示す図である。
【図５】データの全体構造の一例を示す図である。
【図６】管理者用画面に含まれる一括登録画面の一例を示す図である。
【図７】管理者用画面に含まれる一括照会画面の一例を示す図である。
【図８】管理者用画面に含まれるＱＲコード新規作成画面の一例を示す図である。
【図９】利用者および情報提供者用画面の一例を示す図である。
【図１０】検索条件画面の一例を示す図である。
【図１１】ＱＲコード読み取りボタンが押下された場合の画面遷移の一例を示す図である。
【図１２】サブメニューボタンが押下された際の表示画面の一例を示す図である。
【図１３】詳細情報画面の一例を示す図である。
【図１４】情報更新画面の一例を示す図である。
【図１５】位置指定画面の一例を示す図である。
【図１６】位置指定後の地図の表示例を示す図である。
【図１７】情報登録時における位置情報管理装置の処理の一例を示すフローチャートである。
【図１８】情報利用時における位置情報管理装置の処理の一例を示すフローチャートである。
【図１９】位置情報管理装置のハードウェア構成の一例を示す図である。
【図２０】情報提供者端末および利用者端末のハードウェア構成の一例を示す図である。
【発明を実施するための形態】
【００１２】
以下、図面を参照して、実施形態について説明する。図１は、実施形態の位置情報管理システムの全体構成の一例を示す。位置情報管理システムは、位置情報管理装置１と所有者端末２と情報提供者端末３と利用者端末４とを含む。位置情報管理装置１は、コンピュータの一例である。
【００１３】
位置情報管理装置１は、所有者端末２、情報提供者端末３、および利用者端末４とLocal Area Network（ＬＡＮ）またはWide Area Network（ＷＡＮ）等のネットワークを介して、無線または有線による通信を行うことができる。位置情報管理装置１、所有者端末２、情報提供者端末３、および利用者端末４は、サーバ、パーソナルコンピュータ、タブレット端末、またはスマートフォン等が適用される。なお、本実施形態では、情報提供者端末３および利用者端末４は、携帯可能なタブレット端末またはスマートフォンであることを想定している。
【００１４】
所有者端末２は、管理対象物の所有者が使用する端末であり、例えば、管理対象物を管理し、物の仕様情報を提供する事業者である。以下、管理対象物を単に物と称することがある。管理対象物は、例えば、仮設トイレ、自転車等である。所有者端末２は、仕様情報の提供者が使用する情報処理端末の一例である。
【００１５】
情報提供者端末３は、物に付けられた識別情報（例えば、ＱＲコード）を撮影し、自端末の位置をＧＰＳにより取得し、識別情報と位置情報を位置情報管理装置１に送信する。情報提供者端末３は、第１情報処理端末の一例である。識別情報は、例えば、バーコード、または数値や記号等であってもよい。
【００１６】
利用者端末４は、物の仕様に関する検索条件を入力して位置情報管理装置１に送信し、位置情報管理装置１から検索条件を満たす物の位置情報を受信し、位置情報が示す位置を画面上に表示する。利用者端末４は、第２情報処理端末の一例である。
【００１７】
情報提供者端末３および利用者端末４は、例えば、管理対象物を利用する消費者等が所持する端末である。情報提供者端末３および利用者端末４は同一であってもよい。例えば、位置情報を提供した者が、同じ端末を用いて、他の情報提供者が提供した位置情報を利用してもよい。
【００１８】
図２は、位置情報管理装置の一例を示す図である。位置情報管理装置は、通信部１１と管理部１２と抽出部１３と通知部１４と記憶部１５と表示制御部１６と出力部１７と表示部１８とを含む。
【００１９】
通信部１１は、所有者端末２、情報提供者端末３、および利用者端末４と各種情報の送受信を行う。通信部１１は、例えば、情報提供者端末３が物に付けられたＱＲコードを撮影して取得した、物の識別情報と、情報提供者端末３の位置を示す位置情報とを情報提供者端末３から受信する。
【００２０】
管理部１２は、受信した識別情報と位置情報とを関連付けて記憶部１５に記憶する。管理部１２は、受信した位置情報を、物の位置を示す位置情報として記憶部１５に記憶する。また、管理部１２は、識別情報と識別情報に対応する仕様情報とを関連付けて記憶部に記憶する。管理部１２は、位置情報とともに取得した識別情報が、記憶部１５において仕様情報と関連付けられている識別情報と同一である場合、その位置情報と仕様情報とを関連付けて記憶部１５に記憶する。
【００２１】
抽出部１３は、利用者端末４から検索条件を受信し、検索条件を満たす仕様情報が記憶部１５に存在する場合、仕様情報に関連付けられた位置情報を抽出する。通信部１１は、抽出された位置情報を利用者端末４に送信する。
【００２２】
通知部１４は、仕様情報に関連付けられた位置情報を利用者端末４に送信した場合、位置情報の送信元である情報提供者端末３に、位置情報が利用されたことを通知する。また、通知部１４は、仕様情報に関連付けられた位置情報を利用者端末４に送信した場合、仕様情報の提供者が使用する所有者端末２に仕様情報が利用されたことを通知する。また、通知部１４は、管理部１２が位置情報と仕様情報とを関連付けて記憶した場合、仕様情報の提供者が使用する所有者端末２に、位置情報が登録されたことを通知する。
【００２３】
記憶部１５は、識別情報、位置情報、および仕様情報等を記憶する。記憶部１５は、後述する各テーブルを記憶する。表示制御部１６は、表示部１８に表示する表示内容を制御する。
【００２４】
出力部１７は、表示部１８の画面に情報が一覧表示された状態でＣＳＶエクスポートボタンが押下されると、一覧表示された物情報をＣＳＶファイルとして出力する。出力部１７は、物情報が一覧表示された状態でＱＲコード出力ボタンが押下されると、一覧表示された物情報に基づくＱＲコードを出力する。
【００２５】
表示部１８は、記憶部１５に記憶されたデータ等を画面に表示する。表示部１８は、例えば、位置情報管理装置１に外部に設置され、位置情報管理装置１にケーブル等で接続されていてもよい。
【００２６】
図３は、物に関するデータ構造の一例を示す図である。図３に示す各テーブルは、記憶部１５に記憶される。なお、各テーブルの項目のうち、キーには下線が付けられている。図３に示すように、物に関するデータを格納するテーブルとして、物情報テーブル、物仕様テーブル、スキーマ定義テーブルとが記憶部１５に記憶される。管理部１２は、入力された情報に基づいて、各テーブルに情報を記録する。
【００２７】
物情報テーブルは、管理対象物を識別するUniversally Unique Identifier（ＵＵＩＤ）、物の種類を示すＴｙｐｅＩＤ、物を登録した日時を示す登録日時、登録したユーザを識別する登録ユーザＩＤが関連付けられて記憶されている。管理部１２は、一つの物に対して一意となるＵＵＩＤを割り当てる。ＵＵＩＤは、識別情報の一例である。
【００２８】
物仕様テーブルは、ＵＵＩＤ、ＴｙｐｅＩＤ、登録日時、スキーマ区分、名称、仕様情報、登録ユーザＩＤとを含む。仕様情報は、例えば、物がトイレである場合、提供形態（公衆トイレ、施設のトイレ、仮設トイレ等）、個室数、洋式／和式、車椅子対応有無、オストメイト対応有無等を示す。
【００２９】
物の仕様は時間経過に応じて変化する可能性がある。よって、一つの物に対して複数の物仕様テーブルが生成される可能性がある。また、物の種類により、異なるスキーマが適用される可能性がある。物仕様テーブルは、例えば、構造化データとして登録される。
【００３０】
スキーマ定義テーブルは、ＴｙｐｅＩＤ、スキーマ区分、スキーマを含む。スキーマ定義は、ＴｙｐｅＩＤにより物仕様テーブルと関連付けられる。
【００３１】
図４は、位置に関するデータ構造の一例を示す図である。図４に示す各テーブルは、記憶部１５に記憶される。位置に関するテーブルとして、位置情報テーブル、ジオコーディングテーブルとを含む。図４に示す物情報テーブルは、図３に示す物情報テーブルと同じである。
【００３２】
位置情報テーブルは、ＵＵＩＤ、ＴｙｐｅＩＤ、登録日時、緯度、経度、住所、登録ユーザＩＤ、および仮位置情報フラグを含む。緯度および経度は、位置情報の一例である。仮位置情報フラグは、緯度および経度が存在するかを示すフラグである。管理部１２は、住所のみ存在する場合と緯度及び経度が存在する場合とで仮位置情報フラグに異なる値を設定する。物の位置は、時間経過に応じて変化する可能性がある。よって、一つの物に対して複数の位置情報テーブルが生成される可能性がある。
【００３３】
ジオコーディングテーブルは、緯度、経度、および住所を含む。すなわち、緯度および経度に、緯度および経度が示す位置の住所が関連付けられて記憶されている。管理部１２は、所有者端末２からＵＵＩＤとともに住所を受信した後、ジオコーディングテーブルを用いて、受信した住所に対応する緯度および経度を特定し、位置情報テーブルに記憶する。情報提供者端末３から、ＵＵＩＤとともに緯度および経度を受信した場合、管理部１２は、ＵＵＩＤ、緯度および経度を関連付けて位置情報テーブルに記憶する。この際、管理部１２は、ジオコーディングテーブルに基づいて特定した緯度および経度を上書きする。
【００３４】
所有者端末２から提供される住所は、所定範囲を示すため、ジオコーディングテーブルに基づいて特定された緯度および経度は所定範囲を示す。よって、利用者がその緯度および経度を用いた場合、物（例えば、トイレ）を探すために時間がかかる可能性がある。しかし、情報提供者端末３が提供する緯度および経度は、物に付けられたＵＵＩＤを撮影した場所を示すため、ジオコーディングテーブルに基づいて特定された緯度および経度よりも詳細な位置を示す。よって、情報提供者端末３が提供する緯度および経度を記憶することにより、ＵＵＩＤが付けられている物の位置を容易に特定することができる。
【００３５】
図５は、データの全体構造の一例を示す図である。図５に示す各テーブルは、記憶部１５に記憶される。図５に示すテーブルのうち、物情報テーブル、物仕様テーブル、およびスキーマ定義テーブルは図３に示すテーブルと同じである。また、位置情報テーブルは、図４に示すテーブルと同じである。
【００３６】
利用者情報テーブルは、ユーザＩＤ、メールアドレス、パスワード、および氏名を含む。ユーザ情報テーブル内の各情報は、情報提供者や利用者によりユーザ登録が行われた場合に記憶される。
【００３７】
情報提供者端末３からユーザＩＤとともにＵＵＩＤ、緯度および経度を受信した場合、管理部１２は、位置情報テーブルに、情報提供者端末３から受信したＵＵＩＤ、緯度および経度をユーザＩＤと関連付けて記憶する。
【００３８】
利用者端末４から仕様に関する検索条件を受信し、検索条件を満たす仕様情報が物仕様テーブルに存在する場合、抽出部１３は、仕様情報に関連付けられた位置情報（緯度および経度）を抽出する。そして、通信部１１が、その位置情報を利用者端末４に送信する。抽出部１３は、例えば、物仕様テーブルにおいて仕様情報に関連付けられたＵＵＩＤを抽出し、位置情報テーブルにおいてそのＵＵＩＤに関連付けられた緯度および経度を抽出する。
【００３９】
セッション管理テーブルは、ユーザＩＤ、およびセッションの有効期限を含む。ユーザがログインした場合、所定期間（例えば、１ヶ月または１年）セッションが維持される。
【００４０】
レビューテーブルは、ＵＵＩＤ、ＴｙｐｅＩＤ、登録日時、スキーマ区分、レビューデータ、登録ユーザＩＤを含む。レビューデータは、利用者により入力された、物に対するレビュー（コメント）である。
【００４１】
図６は、管理者用画面に含まれる一括登録画面の一例を示す図である。管理者用画面は、位置情報管理装置１の表示部１８に表示される。管理者用画面は、ユーザ登録ボタンおよびユーザ認証ボタンを含む。また、管理者用画面は、一括登録タブ、一括認証タブ、ＱＲコード新規作成タブ、環境設定タブを含み、これらのタブを選択することより、各タブに応じた画面に遷移する。図６に示す例では、一括登録タブが選択された状態を示している。
【００４２】
一括登録画面において、物の所有者は、ファイル選択ボタンを押下し、物情報が記録されたＣＳＶファイルを選択する。ＣＳＶファイルが選択された状態で登録ボタンが押下されると、管理部１２は、ＣＳＶファイルに含まれる物情報を、図３および図５に示す物情報テーブル、物仕様テーブルに記録する。
【００４３】
図７は、管理者用画面に含まれる一括照会画面の一例を示す図である。図７に示す画面において、検索条件として登録日時が入力され、照会ボタンが押下された場合、表示制御部１６は、検索条件に該当する物情報を一覧表示する。
【００４４】
さらに、物情報が一覧表示された状態でＣＳＶエクスポートボタンが押下されると、出力部１７は、一覧表示された物情報をＣＳＶファイルとして出力する。
【００４５】
また、物情報が一覧表示された状態でＱＲコード出力ボタンが押下されると、出力部１７は、一覧表示された物情報に基づくＱＲコードを出力する。出力部１７は、例えば、ＵＵＩＤとＴｙｐｅＩＤを用いてＱＲコードを生成し、画像ファイルとして出力する。ＱＲコードの仕様（エラー補正レベルおよびピクセルサイズ等）は、環境設定画面で設定可能であるとする。
【００４６】
図８は、管理者用画面に含まれるＱＲコード新規作成画面の一例を示す図である。図８に示す画面において、作成数に数字が入力され、作成ボタンが押下された場合、出力部１７は、入力された数のＵＵＩＤを採番し、ＵＵＩＤに基づくＱＲコードを生成し、出力する。このＱＲコードが生成された時点では、ＵＵＩＤは、まだ使用されていないため、記憶部１５内の各テーブルにはＵＵＩＤが記録されない。
【００４７】
図８に示す画面でＱＲコードが生成された場合、例えば、位置情報管理装置１の管理者は、ＱＲコードをシールに印刷し、そのシールを物の所有者に配布する。そして、物の所有者は、ＱＲコードを物に貼り付け、物を設置する。情報提供者端末３は、そのＱＲコードを撮影し、得られたＵＵＩＤを位置情報と共に送信する。管理部１２は、送信されたＵＵＩＤおよび位置情報を記憶部１５に記憶する。
【００４８】
図９は、利用者および情報提供者用画面の一例を示す図である。図９に示す画面は、情報提供者端末３および利用者端末４にインストールされたアプリケーションを実行することにより、情報提供者端末３および利用者端末４に表示される。
【００４９】
利用者および情報提供者用画面は、検索ボタン２１とＱＲコード読み取りボタン２２と現在値表示ボタン２３とサブメニューボタン２４と位置情報表示マーカー２５と位置情報範囲２６とを含む。
【００５０】
図９に示す例では、所有者により物の住所が登録されているが、緯度および経度が登録されていない状態であるとする。物の住所が登録され、緯度および経度が登録されていない場合、利用者端末４および情報提供者端末３は、登録された住所に対応する位置情報範囲２６を表示する。この場合、利用者端末４および情報提供者端末３は、例えば、位置情報表示マーカー２５を、位置情報範囲２６の中央に表示する。
【００５１】
図１０は、検索条件画面の一例を示す図である。図１０に示す画面は、利用者端末４が表示する画面であるとする。図９に示す画面において、検索ボタン２１が押下されると、利用者端末４は、図１０に示すように検索条件を示す各項目を表示する。図１０に示す例では、利用者端末４は、トイレの仕様に関する検索条件として、洋式、和式、ウォシュレット等の項目を表示し、各項目の隣にチェックボックスを表示する。
【００５２】
ユーザの操作によりチェックボックスがチェックされて、検索ボタン２１が押下された場合、利用者端末４は、チェックされた検索条件を位置情報管理装置１に送信する。そして、抽出部１３は、記憶部１５に記憶された仕様情報のうち検索条件を満たす仕様情報に関連付けられた位置情報を抽出する。抽出部１３は、位置情報として緯度および経度が存在すれば緯度および経度を抽出し、緯度および経度が存在しなければ住所を抽出する。通信部１１は、抽出された位置情報を利用者端末４に送信する。
【００５３】
緯度および経度が抽出された場合、利用者端末４は、緯度および経度を示す位置に後述する位置情報確定表示マーカー２７を表示する。緯度および経度が抽出されず、住所が抽出された場合、利用者端末４は、図９に示すように、位置情報表示マーカー２５および位置情報範囲２６を表示する。
【００５４】
図１１は、ＱＲコード読み取りボタンが押下された場合の画面遷移の一例を示す図である。図１１に示す画面は、情報提供者端末３が表示する画面であるとする。図９に示す画面においてＱＲコード読み取りボタンが押下された場合、情報提供者端末３のアプリケーションが、端末に内蔵されたカメラ機能を起動させる。そして、図１１（ａ）に示す状態でＱＲコードが撮影された場合、情報提供者端末３は、図１１（ｂ）に示すように「現在位置で位置情報を登録しますか？」というメッセージと、「はい」ボタンおよび「いいえ」ボタンを表示する。
【００５５】
「はい」ボタンが押下された場合、アプリケーションは、ＱＲコードが示す識別情報（ＵＵＩＤ）と、情報提供者端末３のGlobal Positioning System（ＧＰＳ）機能により得られた端末の位置情報（緯度および経度）を位置情報管理装置１に送信する。位置情報管理装置１の管理部１２は、送信されたＵＵＩＤと位置情報とを関連付けて記憶部１５に記憶する。位置情報管理装置１の通信部１１は、受信した情報を記憶部１５に記憶すると、記憶したことを示す応答を情報提供者端末３に送信する。情報提供者端末３は、応答を受信すると、図１１（ｃ）に示すように「登録が完了しました」というメッセージとともに確認ボタンを表示する。情報提供者端末３の表示は、確認ボタンが押下されると、後述する情報更新画面に遷移する。
【００５６】
図１２は、サブメニューボタン２４が押下された際の表示画面の一例を示す図である。図１２に示す画面は、情報提供者端末３または利用者端末４で表示される画面である。図１２に示すように、図９に示す画面でサブメニューボタン２４が押下されると、サブメニューとして、利用規約、ユーザ更新、更新履歴、ログアウト、退会が表示される。表示されたサブメニューが押下されるとサブメニューに対応する画面に遷移する。サブメニューに対応する画面については図示を省略する。
【００５７】
図１３は、詳細情報画面の一例を示す図である。図１３に示す画面は、情報提供者端末３に表示された画面であるとするが、利用者端末４に表示されてもよい。図９に示す画面において、例えば、位置情報表示マーカー２５が選択された場合、情報提供者端末３は、位置情報表示マーカー２５が示す物のＵＵＩＤを位置情報管理装置１に送信する。そして、位置情報管理装置１は、送信されたＵＵＩＤに対応する各種情報を記憶部１５から取得し、情報提供者端末３に送信する。そして、情報提供者端末３は、送信された情報に基づいて、図１３に示す詳細情報画面を表示する。詳細情報画面のうち、名称および仕様は、図３に示す物仕様テーブルに記録された情報が用いられる。また、住所は、図４に示す位置情報テーブルに記録された住所が用いられる。また、レビューは、図５に示すレビューテーブルのレビューデータが用いられる。
【００５８】
図１３に示す画面において、編集ボタン３１が押下された場合、情報提供者端末３の表示画面は、後述する情報更新画面に遷移する。位置情報更新ボタン３２が押下された場合、情報提供者端末３の表示画面は、後述する位置指定画面に遷移する。
【００５９】
図１４は、情報更新画面の一例を示す図である。情報提供者端末３は、図１１（ｃ）の確認ボタンが押下された場合、または図１３の編集ボタン３１が押下された場合、図１４に示す情報更新画面を表示する。情報更新画面は、物の詳細情報の編集を行うための画面である。
【００６０】
例えば、ユーザにより、名称、住所、メモが入力されて更新ボタンが押下された場合、情報提供者端末３は、入力された情報を位置情報管理装置１に送信する。位置情報管理装置１は、入力された各情報を記憶部１５の各テーブルに記憶する。また、仕様のチェックボックスがチェックされ、更新ボタンが押下された場合、情報提供者端末３は、チェックされた項目を仕様情報として位置情報管理装置１に送信する。位置情報管理装置１は、送信された仕様情報に基づいて記憶部１５の物仕様テーブルの仕様情報を更新する。
【００６１】
図１５は、位置指定画面の一例を示す図である。情報提供者端末３は、図１３の位置情報更新ボタン３２が押下された場合、図１５に示す位置指定画面を表示する。図１５に示すように、予め位置情報表示マーカー２５と位置情報範囲２６とが表示されているとする。そして、ユーザが位置情報表示マーカー２５をドラッグして移動させると、位置情報範囲２６は消去される。図１５の位置情報確定表示マーカー２７は、位置情報表示マーカー２５を移動後の位置を示す。そして、位置情報確定表示マーカー２７が表示された状態で更新ボタンが押下されると、情報提供者端末３は、図１３に示す全画面を再び表示する。
【００６２】
図１５に示す画面で、更新ボタンが押下された場合、情報提供者端末３は、位置情報確定表示マーカー２７が示していた位置情報（緯度および経度）をＵＵＩＤとともに位置情報管理装置１に送信する。位置情報管理装置１は、受信したＵＵＩＤと位置情報とを関連付けて記憶部１５に記憶する。
【００６３】
図１６は、位置指定後の地図の表示例を示す図である。図１６に示す画面は、図１５に示すように位置の指定が行われ、更新ボタンが押下された後に、情報提供者端末３または利用者端末４が表示する画面である。図１６では、位置情報確定表示マーカー２７が表示され、位置情報表示マーカー２５と位置情報範囲２６は表示されない。位置情報範囲２６が表示されず、位置情報確定表示マーカー２７が表示されていることにより、ユーザは、位置が確定されていること認識することができる。
【００６４】
図１７は、情報登録時における位置情報管理装置１の処理の一例を示すフローチャートである。位置情報管理装置１は、ＵＵＩＤと仕様情報の入力を受け付ける（ステップＳ１０１）。例えば、管理部１２は、図６に示す画面から登録された、ＵＵＩＤと仕様情報を含むＣＳＶファイルの入力を受け付ける。また、例えば、管理部１２は、所有者端末２から送信された仕様情報を受け付けてもよい。そして、管理部１２は、受け付けたＵＵＩＤと仕様情報を関連付けて記憶部１５に記憶する（ステップＳ１０２）。
【００６５】
管理部１２は、ＵＵＩＤと情報提供者端末３の位置を示す位置情報を情報提供者端末３から受信したか判定する（ステップＳ１０３）。ステップＳ１０３でＮＯの場合、処理は次に進まない。ステップＳ１０３でＹＥＳの場合、受信したＵＵＩＤが、記憶部１５において仕様情報に関連付けられたＵＵＩＤのうちのいずれかと同一か判定する（ステップＳ１０４）。
【００６６】
ステップＳ１０４でＮＯの場合、管理部１２は、受信したＵＵＩＤと位置情報とを関連付けて記憶部１５に記憶する（ステップＳ１０５）。ステップＳ１０４でＹＥＳの場合、管理部１２は、受信したＵＵＩＤ、位置情報、および仕様情報を関連付けて記憶部１５に記憶する（ステップＳ１０６）。そして、通知部１４は、仕様情報の提供者が使用する所有者端末２に、位置情報が登録されたことを通知する（ステップＳ１０７）。これにより、仕様情報の提供者が、位置情報を登録した利用者にポイントを付与する等のサービスを実行し、位置情報の提供を促進することができる。
【００６７】
図１８は、情報利用時における位置情報管理装置１の処理の一例を示すフローチャートである。抽出部１３は、利用者端末４から位置情報送信指示を受けたか判定する（ステップＳ２０１）。利用者端末４は、例えば、アプリケーションを起動させた際に、自端末が存在する地域内に存在するトイレの位置情報を送信することを位置情報管理装置１に指示する。
【００６８】
抽出部１３は、指示された地域内の位置情報を記憶部１５から抽出する（ステップＳ２０２）。通信部１１は、抽出された位置情報を利用者端末４に送信する（ステップＳ２０３）。
【００６９】
管理部１２は、利用者端末４から検索条件を受信したか判定する（ステップＳ２０４）。なお、利用者端末４は、図１０に示す検索条件がチェックされて検索ボタン２１が押下されると、検索条件を位置情報管理装置１に送信する。検索条件を受信していない場合（ステップＳ２０４でＮＯ）、処理は、ステップＳ２０１に戻る。
【００７０】
利用者端末４から検索条件を受信した場合（ステップＳ２０４でＹＥＳ）、管理部１２は、条件を満たす仕様情報が記憶部１５に存在するか判定する（ステップＳ２０５）。条件を満たす仕様情報が存在しない場合（ステップＳ２０５でＮＯ）、通信部１１は、条件を満たす物がないことを示すメッセージ等を利用者端末４に送信する（ステップＳ２０６）。
【００７１】
条件を満たす仕様情報が記憶部１５に存在する場合（ステップＳ２０５でＹＥＳ）、抽出部１３は、記憶部１５においてその仕様情報に関連付けられた位置情報を抽出し、通信部１１は、その位置情報を利用者端末４に送信する（ステップＳ２０７）。利用者端末４は、送信された位置情報に基づく位置を、位置情報表示マーカー２５または位置情報確定表示マーカー２７により地図上に表示する。
【００７２】
そして、通知部１４は、仕様情報が利用されたことを、その仕様情報の提供者が利用する所有者端末２に通知する（ステップＳ２０８）。これにより、仕様情報の提供者は、物の利用状況を把握し、今後の物の設置の要否検討を行うことができる。
【００７３】
また、通知部１４は、ステップＳ２０７で利用者端末４に送信された位置情報の送信元である情報提供者端末３に、位置情報が利用されたことを通知する（ステップＳ２０９）。なお、抽出された位置情報の送信元の情報提供者端末３は、図４に示す位置情報テーブルの登録ユーザＩＤにより特定される。ステップＳ２０９の処理により、情報提供者は、位置情報が利用されたかを把握することができるので、情報提供者の意欲を向上させ情報提供を促進することができる。例えば、位置情報の利用により情報提供者に所有者からポイントを付与するサービスが行われる場合、利用者は、ポイントが付与されることを知ることができる。
【００７４】
以上の処理により、位置情報管理システムは、識別情報が付けられている物の位置や仕様情報等を管理することができる。また、物に付ける識別情報はＱＲコード等であるため、物にＧＰＳや通信機能等を付けなくてもよく、低コストで実施形態の処理を実現することができる。
【００７５】
例えば、位置情報管理システムは、災害発生時、行政や自治体が避難所へ仮設トイレを手配する際、現在の仮設トイレの設置場所や数量を、レンタル業者やその時点の利用者に示すことができる。また、位置情報管理システムは、仕様情報を管理するため、例えば、車椅子仕様者、オストメイト使用者、インバウンド顧客等が希望する、特定の仕様を有するトイレの情報を提供することができる。
【００７６】
上述した例では、物がトイレである例を説明したが、物が自転車であってもよい。例えば、自転車に識別情報（ＱＲコード）を表示したシールが貼られ、情報提供者端末３がそれを撮影し、位置情報管理装置１に送信する。これにより、位置情報管理装置１自転車の位置を管理することができる。この場合、例えば、利用者は自分の自転車にＱＲコードを貼り付け、紛失した際に自転車を見つけることができる。また、自転車の販売者は、位置情報をマーケティングに利用し、例えば、自転車が少ないエリアにチラシを配ったりすることができる。また、例えば、自転車の販売者は、情報提供者にポイントを付与することにより情報提供を促進してもよい。
【００７７】
＜ハードウェア構成＞
次に、位置情報管理装置１のハードウェア構成の一例を説明する。図１９は、位置情報管理装置１のハードウェア構成の一例を示す図である。図１９の例に示すように、位置情報管理装置１において、バス１００に、プロセッサ１１１とメモリ１１２と補助記憶装置１１３と通信インタフェース１１４と媒体接続部１１５と入力装置１１６と出力装置１１７とが接続される。
【００７８】
プロセッサ１１１は、メモリ１１２に展開されたプログラムを実行する。実行されるプログラムには、実施形態における処理を行う位置情報管理プログラムが適用されてもよい。
【００７９】
メモリ１１２は、例えば、Random Access Memory(RAM)である。補助記憶装置１１３は、種々の情報を記憶する記憶装置であり、例えばハードディスクドライブや半導体メモリ等が適用されてもよい。補助記憶装置１１３に実施形態の処理を行う位置情報管理プログラムが記憶されていてもよい。
【００８０】
通信インタフェース１１４は、Local Area Network（LAN）、Wide Area Network（WAN）等の通信ネットワークに接続され、通信に伴うデータ変換等を行う。
【００８１】
媒体接続部１１５は、可搬型記録媒体１１８が接続可能なインタフェースである。可搬型記録媒体１１８には、光学式ディスク（例えば、Compact Disc(CD)やDigital Versatile Disc(DVD))、半導体メモリ等が適用されてもよい。可搬型記録媒体１１８に実施形態の処理を行う位置情報管理プログラムが記録されていてもよい。
【００８２】
入力装置１１６は、例えば、キーボード、ポインティングデバイス等であり、ユーザからの指示及び情報等の入力を受け付ける。
【００８３】
出力装置１１７は、例えば、表示装置、プリンタ、スピーカ等であり、ユーザへの問い合わせ又は指示、及び処理結果等を出力する。図２に示す表示部１８には、図１９に示す出力装置１１７が適用されてもよい。
【００８４】
図２に示す記憶部１５は、メモリ１１２、補助記憶装置１１３または可搬型記録媒体１１８等により実現されてもよい。図２に示す管理部１２、抽出部１３、通知部１４、記憶部１５および表示制御部１６は、メモリ１１２に展開された位置情報管理プログラムをプロセッサ１１１が実行することにより実現されてもよい。
【００８５】
メモリ１１２、補助記憶装置１１３および可搬型記録媒体１１８は、コンピュータが読み取り可能であって非一時的な有形の記憶媒体であり、信号搬送波のような一時的な媒体ではない。
【００８６】
次に、情報提供者端末３および利用者端末４のハードウェア構成の一例を説明する。図２０は、情報提供者端末３および利用者端末４のハードウェア構成の一例を示す図である。図２０の例に示すように、情報提供者端末３および利用者端末４において、バス２００に、プロセッサ２１１とメモリ２１２と補助記憶装置１１３と通信インタフェース２１４と媒体接続部２１５と入力装置２１６と出力装置２１７と撮影装置２１９が接続される。
【００８７】
プロセッサ２１１は、メモリ２１２に展開されたプログラムを実行する。実行されるプログラムには、実施形態における処理を行う位置情報管理プログラムが適用されてもよい。
【００８８】
メモリ２１２は、例えば、Random Access Memory(RAM)である。補助記憶装置２１３は、種々の情報を記憶する記憶装置であり、例えばハードディスクドライブや半導体メモリ等が適用されてもよい。補助記憶装置１１３に実施形態の処理を行う位置情報管理プログラムが記憶されていてもよい。
【００８９】
通信インタフェース２１４は、Local Area Network（LAN）、Wide Area Network（WAN）等の通信ネットワークに接続され、通信に伴うデータ変換等を行う。
【００９０】
媒体接続部２１５は、可搬型記録媒体２１８が接続可能なインタフェースである。可搬型記録媒体２１８には、光学式ディスク（例えば、Compact Disc(CD)やDigital Versatile Disc(DVD))、半導体メモリ等が適用されてもよい。可搬型記録媒体２１８に実施形態の処理を行う位置情報管理プログラムが記録されていてもよい。
【００９１】
入力装置２１６は、例えば、キーボード、ポインティングデバイス等であり、ユーザからの指示及び情報等の入力を受け付ける。
【００９２】
出力装置２１７は、例えば、表示装置、プリンタ、スピーカ等であり、ユーザへの問い合わせ又は指示、及び処理結果等を出力する。
【００９３】
撮影装置２１９は、上述したＱＲコードの撮影に用いられる。
メモリ１１２、補助記憶装置１１３および可搬型記録媒体１１８は、コンピュータが読み取り可能であって非一時的な有形の記憶媒体であり、信号搬送波のような一時的な媒体ではない。
【００９４】
＜その他＞
本実施形態は、以上に述べた実施の形態に限定されるものではなく、本実施形態の要旨を逸脱しない範囲内で様々な変更、追加、省略が適用可能である。
【符号の説明】
【００９５】
１    位置情報管理装置
２    所有者端末
３    情報提供者端末
４    利用者端末
１１    通信部
１２    管理部
１３    抽出部
１４    通知部
１５    記憶部
１６    表示制御部
１７    出力部
１８    表示部
１００，２００    バス
１１１，２１１    プロセッサ
１１２，２１２    メモリ
１１３，２１３    補助記憶装置
１１４，２１４    通信インタフェース
１１５，２１５    媒体接続部
１１６，２１６    入力装置
１１７，２１７    出力装置
１１８，２１８    可搬型記録媒体
２１９    撮影装置
【図１】
2020009223.tif 000003
【図２】
2020009223.tif 000004
【図３】
2020009223.tif 000005
【図４】
2020009223.tif 000006
【図５】
2020009223.tif 000007
【図６】
2020009223.tif 000008
【図７】
2020009223.tif 000009
【図８】
2020009223.tif 000010
【図９】
2020009223.tif 000011
【図１０】
2020009223.tif 000012
【図１１】
2020009223.tif 000013
【図１２】
2020009223.tif 000014
【図１３】
2020009223.tif 000015
【図１４】
2020009223.tif 000016
【図１５】
2020009223.tif 000017
【図１６】
2020009223.tif 000018
【図１７】
2020009223.tif 000019
【図１８】
2020009223.tif 000020
【図１９】
2020009223.tif 000021
【図２０】
2020009223.tif 000022